(57)【要約】【課題】使用者の体表部を加温あるいは冷却しながら化粧料等を塗布可能とした美容健康器具において、簡便に化粧料の補充が可能であり、化粧料等が使い尽くされても引き続き器具を使用可能とする。又、種類の異なる化粧料を使用部位や好みに合わせて付け替えて使用可能とする。【解決手段】体表部に塗布されて美容効果および保健効果の少なくとも一方を与える流動性の内容物（２５）を貯蔵し、該内容物（２５）が流出する出口（２６）と、外力を受けて内容物（２５）を出口（２６）から流出させる送出し部（２３）とを備えたカートリッジ（２０）と、カートリッジ（２０）を取外し可能に収容する筐体（１０）とから美容健康器具を構成する。そして、カートリッジ（２０）の出口（２６）に整合する排出口（１２ａ）を有すると共に、出口（２６）および排出口（１２ａ）から流出した内容物（２５）を塗布するための塗布面（１２ｂ）を有する塗布部（１２）と、塗布部（１２）に組み込まれ電力により塗布面（１２ｂ）を加温または冷却する温度作用部（１４）と、電池（４０）を収容する電池収容部（１０ｂ）とを筐体（１０）に設ける。【選択図】図２
2017077709.tif 000002
【特許請求の範囲】
【請求項１】
人体の体表部に塗布されて美容効果および保健効果の少なくとも一方を与える流動性の内容物を貯蔵する貯蔵部と、該内容物が流出する出口と、外部から受けた力により前記内容物を前記出口から流出させる送出し部とを備えたカートリッジと、
前記カートリッジを取外し可能に収容する筐体と、
前記筐体の一部に設けられ、該筐体に収容されたカートリッジの前記出口に整合する排出口を有すると共に、前記出口および排出口から流出した前記内容物を前記体表部に塗布するための塗布面を有する塗布部と、
電力を受けて前記塗布面を加温または冷却する温度作用部と、
前記電力を供給する電源部とを有する美容健康器具。
【請求項２】
人体の体表部に塗布されて美容効果および保健効果の少なくとも一方を与える内容物を貯蔵する貯蔵部と、前記内容物を加熱して流動性を与える加熱部と、前記内容物が流出する排出口およびこの排出口から流出した前記内容物を前記体表部に塗布するための塗布面を有する塗布部と、外部から受けた力により前記内容物を前記排出口から流出させる送出し部とを備えたカートリッジと、
前記カートリッジを取外し可能に収容する筐体と、
電力を受けて前記塗布面を加温または冷却する温度作用部と、
前記電力を供給する電源部とを有する美容健康器具。
【請求項３】
前記内容物が化粧料である請求項１または２記載の美容健康器具。
【請求項４】
前記化粧料が唇用化粧料である請求項３記載の美容健康器具。
【請求項５】
前記化粧料が目元用化粧料である請求項３記載の美容健康器具。
【請求項６】
前記内容物が薬剤である請求項１または２記載の美容健康器具。
【請求項７】
前記カートリッジの送出し部が、外部からの力を受けて回転する回転操作部と、この回転操作部の回転により前記カートリッジの内部を移動する移動体とを備えてなるものである請求項１から６いずれか１項記載の美容健康器具。
【請求項８】
前記カートリッジの送出し部が、外部からのノック力を受けて進退動作するノック操作部と、このノック操作部の動作により前記カートリッジの内部を移動する移動体とを備えてなるものである請求項１から６いずれか１項記載の美容健康器具。
【請求項９】
前記カートリッジの送出し部が、少なくとも該カートリッジの外殻の一部を構成し、外部からの絞り力を受けて変形することにより、前記貯蔵されている内容物に圧力を加える可撓性部材からなるものである請求項１から６いずれか１項記載の美容健康器具。
【請求項１０】
前記温度作用部が、前記塗布部の内側に隣接して配置された、面状部分を有するものである請求項１から９いずれか１項記載の美容健康器具。
【請求項１１】
前記カートリッジおよび電源部が共に概略棒状に形成されたものであり、それらのカートリッジおよび電源部が、長手方向を揃えて互いに直列に配置されている請求項１から１０いずれか１項記載の美容健康器具。
【請求項１２】
前記カートリッジおよび電源部が共に概略棒状に形成されたものであり、それらのカートリッジおよび電源部が、それぞれの長手方向と交わる方向に間を置いて互いに並列に配置されている請求項１から１０いずれか１項記載の美容健康器具。
【請求項１３】
前記カートリッジおよび電源部が共に概略棒状に形成されたものであり、カートリッジから該カートリッジの長手方向に離れた位置に、電源部の長手方向が前記カートリッジの長手方向と交差する向きにして該電源部が配置されている請求項１から１０いずれか１項記載の美容健康器具。
【請求項１４】
美容健康器具を構成する筐体に取外し可能に収容されるカートリッジであって、
人体の体表部に塗布されて美容効果および保健効果の少なくとも一方を与える流動性の内容物を貯蔵する貯蔵部と、該内容物が流出する出口と、外部から受けた力により前記内容物を前記出口から流出させる送出し部とを備えたカートリッジ。
【請求項１５】
美容健康器具を構成する筐体に取外し可能に収容されるカートリッジであって、
人体の体表部に塗布されて美容効果および保健効果の少なくとも一方を与える内容物を貯蔵する貯蔵部と、前記内容物を加熱して流動性を与える加熱部と、前記内容物が流出する排出口およびこの排出口から流出した前記内容物を前記体表部に塗布するための塗布面を有する塗布部と、外部から受けた力により前記内容物を前記排出口から流出させる送出し部とを備えたカートリッジ。
【発明の詳細な説明】
【技術分野】
【０００１】
本発明は美容健康器具、特に詳細には、化粧料や薬剤等を、使用者の体表部を加温あるいは冷却しながら塗布できるようにした美容健康器具に関するものである。【０００２】
また本発明は、上述のような美容健康器具を構成するカートリッジに関するものである。
【背景技術】
【０００３】
従来、化粧料を体表部に塗布するための化粧料塗布用容器において、化粧料を塗り延ばす塗布部に蓄熱材料を用い体表面の熱移動をさせるもの（特許文献１）や、塗布部に冷却効果の高い部材を組み込んでおいて体表部を冷却しながら化粧料を塗布できるようにした化粧料塗布アプリケータ（特許文献３）が知られている。一方、肌面に温熱を与えマッサージをする目的で加熱ヘッドを有し、別途取り出して唇に塗布した化粧料に温熱を加えつつ塗り伸ばしながらマッサージ効果を得る美容器具（特許文献２）も知られている。
【先行技術文献】
【特許文献】
【０００４】
【特許文献１】特許第５４６３３３７号公報
【特許文献２】特開２０１３−１６２８１２号公報
【特許文献３】特許第５６８１７０７号公報
【発明の概要】
【発明が解決しようとする課題】
【０００５】
しかし、前述の温熱マッサージ美容用具においては、化粧料を別途用意し、塗布した後にアプリケータで塗り延ばす必要があり、化粧料の吐出と塗布を一度に簡便に行うことはできなかった。また、従来の化粧料塗布容器、アプリケータにおいては、容器に貯蔵された内容物である化粧料はアプリケータを装着した1種の内容物に限定され、使い尽くされると、アプリケータ付きの化粧料塗布容器はアプリケータごと廃棄され、商品としての化粧料塗布容器に割高感が生じていた。
また、従来、加熱部を有する温熱美容器具においては化粧料の吐出・塗布と加熱を肌上で同時に行い、簡便な機構で内容物である化粧料を取り換え可能としたものはなかった。【０００６】
本発明は上記の事情に鑑みてなされたものであり、使用者の体表部を加温あるいは冷却しながら化粧料等を塗布可能とした美容健康器具において、化粧料等の吐出と塗布を同時に簡便に行うことを可能にし、化粧料等を使い終わっても、また使用中であっても簡便に種類の異なる化粧料等を使用部位や消費者の好みに合わせて付け替えて使用可能にすることを目的とする。【０００７】
また本発明は、上述のような美容健康器具を構成するためのカートリッジを提供することを目的とする。
【課題を解決するための手段】
【０００８】
本発明による第１の美容健康器具は、
人体の体表部に塗布されて美容効果および保健効果の少なくとも一方を与える流動性の内容物を貯蔵する貯蔵部と、該内容物が流出する出口と、外部から受けた力により内容物を上記出口から流出させる送出し部とを備えたカートリッジと、
このカートリッジを取外し可能に収容する筐体と、
この筐体の一部に設けられ、該筐体に収容されたカートリッジの上記出口に整合する排出口を有すると共に、上記出口および排出口から流出した内容物を人体の体表部に塗布するための塗布面を有する塗布部と、
電力を受けて上記塗布面を加温または冷却する温度作用部と、
上記電力を供給する電源部と
を有することを特徴とするものである。【０００９】
なお、上記の「流動性の内容物」とは、液体から構成されて上記カートリッジ等の容器に収容されなければ外形を留めないもの、例えばペースト状の半固形物から構成されて容器に収容されなければ外形を留めないもの、例えばペースト状あるいはゼリー状の半固形物から構成されて単独で外形を留め得るが、ある程度の外力を受けると容易に外形が崩れるもの、の全てを含むものとする。【００１０】
なお本明細書では、上に記した美容効果および保健効果の一方だけを有する場合でも、このように「美容健康器具」と称することとする。【００１１】
また、本発明による第２の美容健康器具は、
人体の体表部に塗布されて美容効果および保健効果の少なくとも一方を与える内容物を貯蔵する貯蔵部と、内容物を加熱して流動性を与える加熱部と、内容物が流出する排出口およびこの排出口から流出した内容物を体表部に塗布するための塗布面を有する塗布部と、外部から受けた力により内容物を前記排出口から流出させる送出し部とを備えたカートリッジと、
このカートリッジを取外し可能に収容する筐体と、
電力を受けて上記塗布面を加温または冷却する温度作用部と、
上記電力を供給する電源部と、
を有することを特徴とするものである。なお上記加熱部は温度作用部として兼用されても構わない。【００１２】
ここで、上述の内容物は、化粧料であることが望ましい。また、そのような化粧料は、特に限定されるものではないが、顔面、頭皮、体躯部等の体表面、特に唇用化粧料や目元化粧料であることが望ましい。また、上述の内容物は薬剤であってもよい。【００１３】
他方、本発明の美容健康器具においてカートリッジの送出し部は、外部からの力を受けて回転する回転操作部と、この回転操作部の回転によりカートリッジの内部を上記出口や、あるいは上記排出口に近づく方向に移動する移動体とを備えてなるものであることが望ましい。あるいは、カートリッジの送出し部は、外部からのノック力を受けて進退動作するノック操作部と、このノック操作部の動作によりカートリッジの内部を上記出口や、あるいは上記排出口に近づく方向に移動する移動体とを備えてなるものであってもよい。さらに、カートリッジの送出し部は、少なくともカートリッジの外殻の一部を構成し、外部からの絞り力を受けて変形することにより、貯蔵されている内容物に圧力を加える可撓性部材からなるものであってもよい。さらに、以上説明した送出し部に限らず、その他の公知のものが用いられてもよい。【００１４】
また、本発明の美容健康器具において上記温度作用部は、塗布部の内側に隣接して配置された、面状部分を有するものであることが望ましい。【００１５】
また、本発明の美容健康器具においては、カートリッジおよび電源部（例えば電池）が共に概略棒状に形成されたものであり、それらのカートリッジおよび電源部が、長手方向を揃えて互いに直列に配置されていることが望ましい。なお、上記の「長手方向を揃えて互いに直列」とは、必ずしもそれら両者が同軸に揃っていることを意味するものではなく、両者の長手方向が互いにほぼ平行であって、両者を長手方向に投影したとき両者が少なくとも一部において重なっていることを意味するものである。【００１６】
また、本発明の美容健康器具においては、カートリッジおよび電源部が共に概略棒状に形成されたものであり、それらのカートリッジおよび電源部が、それぞれの長手方向と交わる方向に間を置いて互いに並列に配置されていることが望ましい。【００１７】
また、本発明の美容健康器具においては、カートリッジおよび電源部が共に概略棒状に形成されたものであり、カートリッジから該カートリッジの長手方向に離れた位置に、電源部の長手方向がカートリッジの長手方向と交差する向きにして該電源部が配置されていることが望ましい。なお、上記の「電源部の長手方向がカートリッジの長手方向と交差する」とは、必ずしもそれら両者の中心軸どうしが交わることを意味するものではなく、カートリッジを長手方向に投影したとき、カートリッジおよび電源部の少なくとも一部同士が交わることを意味するものである。【００１８】
他方、本発明による第１のカートリッジは、
美容健康器具を構成する筐体に取外し可能に収容されるカートリッジであって、
人体の体表部に塗布されて美容効果および保健効果の少なくとも一方を与える流動性の内容物を貯蔵し、該内容物が流出する出口と、外部から受けた力により内容物を上記出口から流出させる送出し部とを備えたことを特徴とするものである。【００１９】
また、本発明による第２のカートリッジは、
美容健康器具を構成する筐体に取外し可能に収容されるカートリッジであって、
人体の体表部に塗布されて美容効果および保健効果の少なくとも一方を与える内容物を貯蔵する貯蔵部と、内容物を加熱して流動性を与える加熱部と、内容物が流出する排出口およびこの排出口から流出した内容物を体表部に塗布するための塗布面を有する塗布部と、外部から受けた力により内容物を前記排出口から流出させる送出し部とを備えたことを特徴とするものである。
【発明の効果】
【００２０】
本発明による第１の美容健康器具は、人体の体表部に塗布されて美容効果および保健効果の少なくとも一方を与える流動性の内容物を貯蔵し、該内容物が流出する出口と、外部から受けた力により内容物を上記出口から流出させる送出し部とを備えたカートリッジと、このカートリッジを取外し可能に収容する筐体とから基本的に構成した上で、塗布面を加温または冷却する機構を設けたものであるので、この美容健康器具によれば、化粧料等の吐出と塗布を同時に簡便に行うことが可能となり、また、種類の異なる化粧料等を使用部位や消費者の好みに合わせて簡便に付け替えて使用可能となる。【００２１】
また、本発明による第２の美容健康器具は、人体の体表部に塗布されて美容効果および保健効果の少なくとも一方を与える内容物を貯蔵する貯蔵部と、内容物を加熱して流動性を与える加熱部と、内容物が流出する排出口およびこの排出口から流出した内容物を体表部に塗布するための塗布面を有する塗布部と、外部から受けた力により内容物を排出口から流出させる送出し部とを備えたカートリッジと、このカートリッジを取外し可能に収容する筐体とから基本的に構成した上で、塗布面を加温または冷却する機構を設けたものであるので、この美容健康器具によれば、化粧料等の吐出と塗布を同時に簡便に行うことが可能となり、また、種類の異なる化粧料等を使用部位や消費者の好みに合わせて簡便に付け替えて使用可能となる。
【図面の簡単な説明】
【００２２】
【図１】本発明の第１の実施形態による美容健康器具を示す斜視図
【図２】図１の美容健康器具を一部分解して示す分解斜視図
【図３】図１の美容健康器具を使用する様子の一例を示す正面図
【図４】本発明の第２の実施形態による美容健康器具を示す斜視図
【図５】図４の美容健康器具を一部分解して示す分解斜視図
【図６】本発明の第３の実施形態による美容健康器具を示す斜視図
【図７】図６の美容健康器具を一部分解して示す分解斜視図
【図８】本発明の第４の実施形態による美容健康器具を示す斜視図
【図９】図８の美容健康器具を一部分解して示す分解斜視図
【図１０】本発明の第５の実施形態による美容健康器具を示す側断面図
【図１１】図１０の構成における加温体を示す斜視図
【図１２】図１１の加温体の周囲部分を示す断面図
【図１３】加温体の別の例を示す斜視図
【図１４】図１３の加温体の周囲部分を示す断面図
【図１５】本発明の第６の実施形態による美容健康器具を示す側断面図
【図１６】図１５の構成における中栓部を示す斜視図
【図１７】中栓部の別の例を示す斜視図
【図１８】図１５の構成における塗布ヘッドを示す斜視図
【図１９】図１８の塗布ヘッドの側断面図
【図２０】塗布ヘッドの別の例を示す一部破断斜視図
【図２１】塗布ヘッドのさらに別の例を示す分解斜視図
【図２２】塗布ヘッドのさらに別の例を示す分解斜視図
【図２３】本発明の第７の実施形態による美容健康器具を示す側断面図
【発明を実施するための形態】
【００２３】
以下、図面を参照して本発明の実施形態を詳細に説明する。図１は、本発明の第１の実施形態による美容健康器具１を示す斜視図であり、また図２はこの美容健康器具１を分解した状態で示す斜視図である。これらの図に示される通り本実施形態の美容健康器具１は、本体１０ａおよび蓋１０ｂから構成される筐体１０と、この筐体１０に取外し可能に収納されるカートリッジ２０とを有している。
【００２４】
カートリッジ２０は、例えば合成樹脂から概略棒状に形成されたものであり、先端（図中の左端）部に配置された内部空間を有する貯蔵室２１、この貯蔵室２１の後端に連通するシリンダ室２２、およびシリンダ室２２の後端側に配置された回転操作部２３を有している。以上の各部分は、概略棒状のカートリッジ２０の長手方向（図中の矢印Ａ方向）に沿って、上記の順に配設されている。
【００２５】
貯蔵室２１内には、人体の体表部に塗布されて美容効果および健康効果の少なくとも一方を与える流動性の内容物２５が貯蔵される。本実施形態においては、この内容物２５として例えば唇用化粧料であるリッププランパーが貯蔵されている。カートリッジ２０の先端、つまり貯蔵室２１の先端には、上記内容物２５を流出させる出口２６が穿設されている。
【００２６】
シリンダ室２２は、カートリッジ２０の長手方向に延びる内部空間を有する円筒状の部分であり、その内部空間には、移動体としてのピストン２７が配されている。ピストン２７には、周面に雄ネジが形成されたネジ棒２８の前端が連結されている。このネジ棒２８は、固定保持部２９の中心に形成された雌ネジ孔に螺合して挿通されている。ネジ棒２８の後端部は雄ネジを有さない丸棒状とされ、この部分は回転保持部３０に対して、該回転保持部３０と共に回転可能で、かつネジ棒２８の軸方向には相対移動可能に保持されている。回転保持部３０は回転操作部２３と共に回転可能とされている。
【００２７】
上記要素２７〜３０からなる構成は、口紅容器等に多く適用されている回転繰出し機構であって、本発明においては内容物２５を出口２６から流出させる送出し部を構成している。すなわち、回転操作部２３が外力によって所定方向に回転されると、回転保持部３０を介してネジ棒２８が回転し、このネジ棒２８と上記固定保持部２９の雌ネジ孔とが螺合していることにより該ネジ棒２８が前進し、ピストン２７を先端側に移動させる。このようにピストン２７が移動すると、貯蔵室２１内の内容物２５が押圧されて、その一部が出口２６から流出する。
【００２８】
なお、上記回転操作部２３あるいは回転保持部３０にラチェット機構を組み込んで、回転操作部２３が、ピストン２７を前進させる方向のみに回転可能で、ピストン２７を後退させる方向には回転不可能となるように構成してもよい。
【００２９】
上記貯蔵室２１、シリンダ室２２、および回転操作部２３には、それらと一体的にカバー３１が取り付けられている。このカバー３１は、後端部に１対の係合爪３１ａ（図２中に一方のみを示す）を有している。カバー３１の係合爪３１ａおよびその付け根近傍部分は、弾性変形可能とされている。
【００３０】
筐体１０を構成する本体１０ａおよび蓋１０ｂも、大部分が例えば合成樹脂から形成されている。図２に示す通り、蓋１０ｂは本体１０ａに対して例えばネジ込みで一体化されるようになっている。蓋１０ｂと、この蓋１０ｂが螺合する本体１０ａの一部は、電池４０を収容する電池収容部を構成している。電池４０は、図２に示すように例えば＋（プラス：陽極）側の一部を本体１０ａに挿入した後、−（マイナス：陰極）側に蓋１０ｂを被せ、その蓋１０ｂを本体１０ａに螺合させて一体化することにより、筐体１０内に収容される。
【００３１】
電池４０としては、例えば単４形や単３形等の棒状の乾電池が用いられる。本実施形態では、この棒状の電池４０の長手方向（矢印Ｂ方向）と、同じく棒状に形成されたカートリッジ２０の長手方向（矢印Ａ方向）とが揃うようにして、カートリッジ２０と電池４０とが直列に配置される。
【００３２】
筐体１０の本体１０ａは、カートリッジ２０を収容する凹部１１と、先端部に配置された塗布部１２と、スイッチ１３とを有している。カートリッジ２０を筐体１０に収容させる際には、まずカートリッジ２０が先端側から凹部１１内に収められ、次いで上記１対の係合爪３１ａが、本体１０ａに形成された図示外の被係合部に弾力的に係合させられる。それにより、カートリッジ２０が筐体１０の凹部１１に収容、保持される。筐体１０に収容されたカートリッジ２０を取り外す際には、カバー３１の係合爪３１ａの近傍部分が内方に押し込まれて上記係合が解除され、次いでカートリッジ２０を凹部１１から引き抜くことによって、カートリッジ２０が取り外される。
【００３３】
塗布部１２は一例としてステンレス鋼から形成され、その中央部には排出口１２ａが穿設されている。この塗布部１２の表面１２ｂは、内容物２５を使用者の体表部に塗布するための塗布面とされている。また上記排出口１２ａは、上記凹部１１にカートリッジ２０が収容されたとき、該カートリッジ２０の出口２６と整合する位置に設けられている。また、この塗布部１２の内側に隣接させて、温度作用部としての加温体１４が組み込まれている。加温体１４としては、例えば面状の発熱部を有するセラミック抵抗体や金属等が好適に用いられるが、それに限らず、巻線状としたニクロム線等を用いることもできる。なお、上述のように塗布部１２の内側に隣接させて加温体１４を組み込む場合、塗布面となる上記表面１２ｂの裏面で加熱がなされるように加温体１４を配置することが熱効率の点で好ましい。この加温体１４の近くには、例えばサーミスタ等からなる温度センサ１５が配置されている。
【００３４】
なお塗布部１２は、上記ステンレス鋼以外の金属、例えばアルミニウムや、さらには金属以外のシリコーン、セラミック、合成樹脂等から形成されてもよい。また塗布部１２の表面１２ｂは平滑な面とされてもよいし、あるいは、微細な溝や凹部が刻設された面や、微細な凹凸が形成された粗面とされてもよい。また塗布部１２の表面１２ｂの全体的な形状は、平面とされてもよいし、あるいは凸面や凹面とされてもよい。
【００３５】
筐体１０の本体１０ａの中には、例えばプリント基板等からなる図示外の制御回路が配設され、この制御回路は同じく図示外の配線を介して、上記電池４０、スイッチ１３、加温体１４、および温度センサ１５と電気的に接続されている。スイッチ１３としては一例として、一度押される毎に、電池４０の直流電流を加温体１４に供給するＯＮ状態と、この電流供給を遮断するＯＦＦ状態とが切り替わるタイプのものが用いられている。
【００３６】
スイッチ１３が上記ＯＮ状態にされると、電流を受けた加温体１４が発熱し、それにより塗布部１２の表面１２ｂが加温される。加温された塗布部１２の表面１２ｂの温度は温度センサ１５によって検出される。温度センサ１５が出力する温度検出信号は前記制御回路に入力され、制御回路はこの温度検出信号に基づいて加温体１４への電流供給を制御して、塗布部１２の表面１２ｂの温度を所定の設定温度に維持させる。この設定温度は、一般的な体温よりもやや高い、例えば４０°Ｃ等とされる。
【００３７】
次に、以上の構成を有する美容健康器具１の使用方法について、図３を参照して説明する。使用者Ｍは、美容健康器具１を片手に保持した上で、前記スイッチ１３をＯＮにした後、回転操作部２３を操作して、カートリッジ２０の貯蔵室２１から所望量の内容物２５を流出させる。この内容物２５はカートリッジ２０の出口２６、およびそれに整合している排出口１２ａを通って塗布部１２の表面１２ｂ上に流出、付着する。
【００３８】
次いで使用者Ｍは、美容健康器具１の先端側を自身に近づけて、塗布部１２の表面１２ｂに付着している内容物（リッププランパー）２５を唇Ｌに塗布する。このとき、スイッチ１３がＯＮにされて加温体１４に電流が供給されていることにより、塗布部１２の温度が例えば前述の４０°Ｃ近辺に保たれている。そこで、唇Ｌに内容物２５を塗布する際に使用者Ｍに、この内容物２５および塗布部１２から独特の温かい塗布感が与えられる。このような塗布感は使用者Ｍにとって一般に心地良いものであり、美容健康器具１の使用を促進させるものとなる。
【００３９】
また、内容物２５が加温されていることにより軟化するので、唇Ｌに皺が有るような場合も、皺の中まで内容物２５が良く塗布されるようになる。また、唇Ｌが加温されることによって血行も良くなるので、唇Ｌの見映えも良くなる。さらに、内容物２５が特に薬剤の場合は、皮膚への浸透も促進されて、薬効を改善する効果も得られる。
【００４０】
なお、使用者Ｍが美容健康器具１の使用に慣れたた場合は、最初に美容健康器具１の塗布部１２を唇Ｌに付けてから、スイッチ１３をＯＮにしたり、回転操作部２３を操作したりしても構わない。
【００４１】
以上述べた内容物２５の塗布が何度もなされて、貯蔵室２１内の内容物２５が使い尽くされると、カートリッジ２０が新しいもの、つまり貯蔵室２１に所定量の内容物２５が貯蔵されているものと交換される。このカートリッジ２０の交換に際して、筐体１０からカートリッジ２０を取り外す作業、および新しいカートリッジ２０を筐体１０に収容させる作業は、先に説明した通りにしてなされる。
【００４２】
このように、カートリッジ２０内の内容物２５が無くなったら、カートリッジ２０だけを新しいものと交換するのであれば、筐体１０はそのまま引き続き使用可能となって、経済的である。また、カートリッジ２０の交換作業は、美容健康器具の貯蔵部に内容物を補充するような作業とは異なって、極めて簡単に行うことができる。
【００４３】
次に、本発明の第２の実施形態について説明する。図４は、本発明の第２の実施形態による美容健康器具２を示す斜視図であり、また図５はこの美容健康器具２を一部分解した状態で示す斜視図である。なお図４以降の図面において、先に説明した第１の実施形態のものと同等の要素には同番号を付してあり、それらについての説明は、特に必要の無い限り省略する。図４および図５に示される通り本実施形態の美容健康器具２は、本体２１０ａおよび蓋２１０ｂから構成される筐体２１０と、この筐体２１０に取外し可能に収容されるカートリッジ２２０とを有している。カートリッジ２２０は、先に説明したカートリッジ２０と基本的に同様の構成を有するものである。
【００４４】
蓋２１０ｂは本体２１０ａに対してヒンジ２１０ｃを介して揺動自在に取り付けられて、本体２１０ａの後部を開閉するように構成されている。本体２１０ａは概略台形の箱状に形成され、カートリッジ２２０を収容するカートリッジ収容部２１０ｄと、電池４０を収容する電池収容部２１０ｅとを有している。また本体２１０ａ、蓋２１０ｂはそれぞれ切欠き部２１０ｆ、２１０ｇを有している。
【００４５】
蓋２１０ｂが図５に示すように本体２１０ａの後部を開放する状態にされると、カートリッジ収容部２１０ｄにカートリッジ２２０を収容し、また電池収容部２１０ｅに電池４０を収容することができる。カートリッジ収容部２１０ｄからのカートリッジ２２０の取り出し、および電池収容部２１０ｅからの電池４０の取り出しも、同じように蓋２１０ｂが本体２１０ａの後部を開放する状態にしてなされる。
【００４６】
この美容健康器具２を使用する際には、図４に示すように、蓋２１０ｂが本体２１０ａの後部を閉じる状態とされる。この状態のとき、カートリッジ２２０の回転操作部２２３は、切欠き部２１０ｆおよび２１０ｇの中に位置して、外部に露出する。そこで、この回転操作部２２３を容易に操作して、塗布部２１２から内容物を流出させ、唇等に塗布可能となる。
【００４７】
なお、塗布部２１２における排出口等は図示を省いているが、その排出口や、カートリッジ２２０における内容物の出口は、基本的に第１の実施形態におけるのと同様に形成すればよい。さらに、塗布部２１２に組み込まれる温度作用部としての加温体も図示を省略しているが、本実施形態でも第１の実施形態における加温体１４と同様のものが設けられている。以上は、下で説明する第３および第４の実施形態においても同様である。
【００４８】
図４および図５に明示される通り本実施形態では、カートリッジ２２０および電池４０が共に概略棒状に形成されている。そしてそれらのカートリッジ２２０および電池４０は、それぞれの長手方向と交わる方向に間を置いて互いに並列に配置されている。
【００４９】
次に、本発明の第３の実施形態について説明する。図６は、本発明の第３の実施形態による美容健康器具３を示す斜視図であり、また図７はこの美容健康器具３を一部分解した状態で示す斜視図である。これらの図に示される通り本実施形態の美容健康器具３は、右筐体３１０ａおよび左筐体３１０ｂから構成される筐体３１０と、この筐体３１０に取外し可能に収納されるカートリッジ３２０とを有している。カートリッジ３２０は、先に説明したカートリッジ２０と基本的に同様の構成を有するものである。
【００５０】
右筐体３１０ａと左筐体３１０ｂとは、それぞれ回動軸３１０ｃを軸として回動自在とされ、間にカートリッジ３２０を挟んで互いに閉じた図６の状態と、互いに大きく開いた図７の状態とを取り得るものとなっている。右筐体３１０ａ、左筐体３１０ｂにはそれぞれカートリッジ収容凹部３１０ｄ、３１０ｅが形成されている。なお、図６および図７中の３１２は筐体３１０の塗布部であり、図７中の３２６はカートリッジ３２０の内容物流出用出口である。
【００５１】
カートリッジ３２０を筐体３１０に収容する際には、右筐体３１０ａと左筐体３１０ｂとを開いた状態にしておいて、カートリッジ３２０の一部がカートリッジ収容凹部３１０ｄあるいは３１０ｅ内に収められる。その後、右筐体３１０ａと左筐体３１０ｂとが閉じられると、２つのカートリッジ収容凹部３１０ｄおよび３１０ｅの中にそれぞれ一部が入った状態でカートリッジ３２０が筐体３１０に収容、保持される。なお、右筐体３１０ａと左筐体３１０ｂとが閉じられた状態は、図示しないラッチ手段等によって維持される。こうして筐体３１０に収容されたカートリッジ３２０は、右筐体３１０ａと左筐体３１０ｂとを開いた状態にすれば、筐体３１０から取り出すことができる。
【００５２】
右筐体３１０ａには電池収容部３１０ｆが設けられており、電池４０はこの電池収容部３１０ｆに収容される。電池収容部３１０ｆには蓋３１０ｇが被着される。右筐体３１０ａおよび左筐体３１０ｂは、間に保持したカートリッジ３２０を一部露出させる形状とされている。それにより、露出しているカートリッジ３２０の回転操作部３２３を、外部から操作可能となっている。
【００５３】
この美容健康器具３を使用する際には、図６に示すように、右筐体３１０ａと左筐体３１０ｂとが閉じられて、それらの間にカートリッジ３２０を保持している状態とされる。この状態下で、上述のように露出している回転操作部３２３を回転操作することにより、塗布部３１２から内容物を流出させ、唇等に塗布可能となる。
【００５４】
図６および図７に明示される通り本実施形態では、カートリッジ３２０および電池４０が共に概略棒状に形成されている。そしてそれらのカートリッジ３２０および電池４０は、それぞれの長手方向と交わる方向に間を置いて互いに並列に配置されている。
【００５５】
次に、本発明の第４の実施形態について説明する。図８は、本発明の第４の実施形態による美容健康器具４を示す斜視図であり、また図９はこの美容健康器具４を一部分解した状態で示す斜視図である。これらの図に示される通り本実施形態の美容健康器具４は、概略三角形の箱状の本体４１０ａおよび蓋４１０ｂから構成される筐体４１０と、この筐体４１０に取外し可能に収納されるカートリッジ４２０とを有している。カートリッジ４２０は、先に説明したカートリッジ２０と基本的に同様の構成を有するものである。
【００５６】
筐体４１０の本体４１０ａは、幅方向の中央部に、筐体長手方向に延びる開口４１０ｇを有する形状とされ、この開口４１０ｇの部分には、カートリッジ４２０を受け止めるカートリッジ受承部４１０ｃが設けられている。なお、図８および図９中の４１２は筐体４１０の塗布部であり、図９中の４２６はカートリッジ４２０の内容物流出用出口である。
【００５７】
カートリッジ４２０を筐体４１０に収容する際には、本体４１０ａから蓋４１０ｂを外した状態にしておいて、カートリッジ受承部４１０ｃに下側からカートリッジ４２０があてがわれ、次いで蓋４１０ｂが下側からカートリッジ４２０を保持するようにして本体４１０ａに取り付けられる。この取付けは、図示は省略するが、例えば蓋４１０ｂに設けられた係合爪を、本体４１０ａの被係合部に係合させることによってなされる。こうして筐体４１０に収容されたカートリッジ４２０は、上記の係合を解除させて蓋４１０ｂを本体４１０ａから取り外せば、筐体４１０から取り出すことができる。
【００５８】
本体４１０ａの後端部には電池収容部４１０ｄが設けられており、電池４０はこの電池収容部４１０ｄに収容される。電池収容部４１０ｄには蓋４１０ｆが被着される。
【００５９】
この美容健康器具４を使用する際には、図８に示すように、筐体４１０にカートリッジ４２０を収容、保持した状態とされる。この状態下では、図示の通り、開口４１０ｇの一部からカートリッジ４２０の回転操作部４２３が露出する。そこで、この露出している回転操作部４２３を回転操作することにより、塗布部４１２から内容物を流出させ、唇等に塗布可能となる。
【００６０】
図８および図９に明示される通り本実施形態では、カートリッジ４２０および電池４０が共に概略棒状に形成されている。そして電池４０は、カートリッジ４２０から該カートリッジ４２０の長手方向に離れた位置において、電池長手方向がカートリッジ長手方向と交差する向きにして配置されている。
【００６１】
次に、本発明の第５の実施形態について説明する。図１０は、本発明の第５の実施形態による美容健康器具５を示す側断面図である。本実施形態の美容健康器具５は、本体５１０ａおよび蓋５１０ｂから構成される筐体５１０と、この筐体５１０に取外し可能に収容されるカートリッジ５２０とを有している。共に概略円筒状に形成された上記本体５１０ａと蓋５１０ｂとは、図１０では分離した状態に示されているが、図示外の部分で互いに分離可能に連結されている。蓋５１０ｂは、内部に電源部としての電池４０を収納する電池収容部を構成している。一方、カートリッジ５２０は、これまで説明したカートリッジとは異なって、それ自身が内容物を塗布するための塗布部を備えているものである。
【００６２】
以下、このカートリッジ５２０について詳しく説明する。カートリッジ５２０は、内容物２５を貯える概略円筒状の貯蔵室５２１と、回転操作部５２３と、貯蔵室５２１に接続された中栓部５５０と、中栓部５５０に被着される塗布部としての塗布ヘッド５１２とを有している。上記回転操作部５２３には、内容物２５を貯蔵室５２１から送り出すための機構、すなわち図１に示したピストン２７やネジ棒２８等からなる機構が連結されているが、それらは図１０において省略してある。中栓部５５０は、細い円筒状とされた先端部分５５１を有している。また中栓部５５０の内部には、貯蔵室５２１に連通して先端部分５５１の内部まで延びる流路５５２が形成されている。
【００６３】
塗布ヘッド５１２は、良好な熱伝導性を有する金属、例えばアルミニウム、アルミニウム合金、ステンレス鋼等から形成されており、その先端の表面５１２ｂは平坦に形成されて、内容物２５を人体の体表部に塗布するための塗布面とされている。そして表面５１２ｂには、内容物２５が流出する排出口５１２ａが形成されている。この排出口５１２ａは、上記中栓部５５０の先端部分５５１内の流路５５２と整合している。塗布ヘッド５１２は、上記先端部分５５１に被着して中栓部５５０と一体化されている。上述した筐体５１０の本体５１０ａには、内周面５１０ｃを有する概略円筒状の先端部５１０ｄが形成されている。塗布ヘッド５１２は、その外周面が上記内周面５１０ｃと接する状態で先端部５１０ｄと組み合わされ得るようになっている。この組み合わせがなされることにより、カートリッジ５２０は、筐体５１０の本体５１０ａに取外し可能に収容される。
【００６４】
上記貯蔵室５２１に貯えられた内容物２５は、回転操作部５２３を操作することにより、中栓部５５０の流路５５２を経て、塗布ヘッド５１２の排出口５１２ａから流出する。そこで、塗布ヘッド５１２の表面５１２ｂを人体の体表部に接触させながら、流出した内容物２５を体表部に塗布することができる。上述した筐体本体５１０ａの先端部５１０ｄの内周面５１０ｃには、加温体５１４が取り付けられている。筐体５１０にカートリッジ５２０がセットされると、カートリッジ５２０の塗布ヘッド５１２が、この加温体５１４に接して加温される。そこで、塗布ヘッド５１２の塗布面である表面５１２ｂが所定の温度に加温されるので、この場合も、上述のように内容物２５を体表部に塗布する際に、使用者に心地良い塗布感を与えることができる。
【００６５】
以下、上記加温体５１４について詳しく説明する。図１１および図１２はそれぞれ、この加温体５１４およびその周囲部分を示す斜視図および断面図である。なお図１２の断面図は、塗布ヘッド５１２の長軸と垂直な面を断面とするものである。図１２に示されるように加温体５１４は、筐体本体５１０ａ（図１０参照）の先端部５１０ｄの内周面５１０ｃに固定されて、図１１にも明示されるように、塗布ヘッド５１２の外周面に全面的に接触する。それにより、加温体５１４が発する熱が、塗布ヘッド５１２に効率良く伝導可能となっている。なお、加温体５１４は、例えばクッション材や板バネを用いて塗布ヘッド５１２に弾力的に圧接させ、これら両者の密着性を高めておくことが望ましい。
【００６６】
ここで、加温体５１４の別の例について説明する。図１３および図１４はそれぞれ、この別例としての加温体５１４およびその周囲部分を示す斜視図および断面図である。なお図１４の断面図は、塗布ヘッド５１２の長軸と垂直な面を断面とするものである。これらの図に示されるように筐体本体５１０ａ（図１０参照）の先端部５１０ｄには、該先端部５１０ｄの長軸方向に延びる、断面Ｖ字状の凸部５１０ｆが形成されている。加温体５１４も断面Ｖ字状に形成されて、上記凸部５１０ｆの内面に固定されている。一方塗布ヘッド５１２には、断面Ｖ字状の加温体５１４の内部に入り込む概略三角柱状の（つまり断面形状がテーパ状の）凸部５１２ｆが設けられている。それにより本例でも、加温体５１４と塗布ヘッド５１２の密着性を高めることができる。
【００６７】
次に、本発明の第６の実施形態について説明する。図１５は、本発明の第６の実施形態による美容健康器具６を示す側断面図である。本実施形態の美容健康器具６は、本体６１０ａおよび蓋６１０ｂから構成される筐体６１０と、筐体６１０に取外し可能に収容されるカートリッジ６２０から構成される。共に概略円筒状に形成された上記本体６１０ａと蓋６１０ｂとは、図１５では単に連結した状態に示されているが、それら両者は必要に応じて、カートリッジ６２０や電池４０の交換等のために分離可能に構成される。蓋６１０ｂは、内部に電源部としての電池４０を収納する電池収容部を構成している。また上記本体６１０ａには、塗布部としての塗布ヘッド６１２が固定されている。より詳しくは、本体６１０ａに概略円筒状の先端部６１０ｄが形成されており、塗布ヘッド６１２はこの先端部６１０ｄの内側に固定されている。
【００６８】
以下、上記カートリッジ６２０について詳しく説明する。カートリッジ６２０は、内容物２５を貯える概略円筒状の貯蔵室６２１と、回転操作部６２３と、貯蔵室６２１に接続された中栓部６５０とを有している。上記回転操作部６２３には、内容物２５を貯蔵室６２１から送り出すための機構、すなわち図１に示したピストン２７やネジ棒２８等からなる機構が連結されているが、それらは図１５において省略してある。中栓部６５０は、細い円筒状の部分を持つ先端部分６５１を有している。また中栓部６５０の内部には、貯蔵室６２１に連通して先端部分６５１の内部まで延びる流路６５２が形成されている。以上の構成を有するカートリッジ６２０は、筐体６１０の本体６１０ａに取外し可能に収容される。
【００６９】
一方、本体６１０ａに固定された塗布ヘッド６１２は、良好な熱伝導性を有する金属、例えばアルミニウム、アルミニウム合金、ステンレス鋼等から形成されている。図１８および図１９はそれぞれ、この塗布ヘッド６１２の外形形状および側断面形状を示している。図１９に明示されるように塗布ヘッド６１２の内部の円筒状部分に、カートリッジ６２０の中栓部６５０の先端部分６５１が挿入される。塗布ヘッド６１２の先端の表面６１２ｂは平坦に形成されて、内容物２５を人体の体表部に塗布するための塗布面とされている。そして表面６１２ｂには、内容物２５が流出する排出口６１２ａが形成されている。この排出口６１２ａは、筐体６１０にカートリッジ６２０がセットされると、中栓部６５０の先端部分６５１内の流路６５２と連通する。なお、先端部分６５１の内部の流路６５２が、塗布ヘッド６１２の排出口６１２ａ以外の空間と連通してしまうことを防止するために、先端部分６５１と塗布ヘッド６１２の円筒状部分との間には、コンタクトリングやＯ−リング等からなるシール材を配置しておくのが望ましい。表面６１２ｂの裏面側には、この裏面に密着させて、図１に示したものと同様の加温体１４が配設されている。図１５に示すようにカートリッジ６２０が筐体６１０の本体６１０ａに収容されると、中栓部６５０が塗布ヘッド６１２と一体化される。塗布ヘッド６１２に対するカートリッジ６２０の長手方向位置（図１５中の左右方向位置）は、例えば本体６１０ａに設けた図示外のリブにカートリッジ６２０の一部を当接させることにより規定される。
【００７０】
筐体６１０の本体６１０ａには、ネジ式キャップ６１０ｃが取り付け可能とされている。このネジ式キャップ６１０ｃは、概略一端が閉じた円筒状に形成されている。ネジ式キャップ６１０ｃは、その開放側の端部６１０ｅに形成された雌ネジを、カートリッジ６２０がセットの先端部分６５１に形成された雄ネジと螺合させることにより、カートリッジ６２０に取り付けられる。またネジ式キャップ６１０ｃの閉鎖側の端部内面には、円柱状の凸部６１０ｆが設けられている。ネジ式キャップ６１０ｃが筐体６１０に取り付けられた状態では、上記凸部６１０ｆが、中栓部６５０の先端部分６５１の流路６５２内に入り込む。それにより流路６５２は、カートリッジ６２０の外部と気密状態に保たれる。
【００７１】
ここで、カートリッジ６２０の先端側に設けられた中栓部６５０について、図１６を参照して詳しく説明する。図１６はこの中栓部６５０の構造を示しており、図示のように中栓部６５０は、前述した先端部分６５１および流路６５２に加えて、先端側の端面６５３と、流路６５２の開口６５４と、雄ネジ６５５と、加熱部６５６とを有している。中栓部６５０は、図１５に示すように、上記雄ネジ６５５の外周面、およびそこから後端側（貯蔵室６２１側）に続く部分の外周面を、塗布ヘッド６１２の後端部内周面と緩く嵌合させることにより、塗布ヘッド６１２と組み合わされる。こうして中栓部６５０と塗布ヘッド６１２とが組み合った状態、つまり図１５の状態では、流路６５２の開口６５４と、塗布ヘッド６１２の排出口６１２ａ（図１８参照）とが整合する。なお、カートリッジ６２０を筐体６１０の本体６１０ａに収容させるまで、カートリッジ６２０の中栓部６５０には上記雄ネジ６５５に螺合するカートリッジキャップ６７０（図１５参照）が被着されている。それにより、中栓部６５０の内部が外部に対してほぼ気密に保たれる。また塗布ヘッド６１２は、加熱部６５６を除いて、全体的に熱伝導の良い金属から形成されている。
【００７２】
本実施形態の美容健康器具６を使用する際、ネジ式キャップ６１０ｃは筐体６１０から取り外される。それにより、中栓部６５０の流路６５２から凸部６１０ｆが退出し、流路６５２が開放される。貯蔵室６２１に貯えられた内容物２５は、回転操作部６２３を操作することにより、中栓部６５０の流路６５２を経て、塗布ヘッド６１２の排出口６１２ａから流出する。本実施形態では、上述の加熱部６５６（図１６参照）が設けられているので、内容物２５が本来流動性の無い固形物等であっても、加熱部６５６によって内容物２５を溶融、流動化させながら、塗布ヘッド６１２の排出口６１２ａから流出させることが可能になっている。
【００７３】
そこで、塗布ヘッド６１２の表面６１２ｂ（図１８参照）を人体の体表部に接触させながら、流出した内容物２５を体表部に塗布することができる。また、前述した加温体１４が、第１の実施形態におけるのと同様に給電されて発熱する。それにより、塗布ヘッド６１２の塗布面である表面６１２ｂが所定の温度に加温されるので、この場合も、上述のように内容物２５を体表部に塗布する際に、使用者に心地良い塗布感を与えることできる。さらに、内容物２５の吐出と塗布を同時に簡便に行うことが可能となり、またカートリッジ６２０を付け代えることにより、種類の異なる化粧料等を使用部位や消費者の好みに合わせて選択して、簡便に切替使用可能となる。なお、内容物２５を溶融するための加熱部６５６を、表面６１２ｂを加温する温度作用部として兼用してもよい。
【００７４】
なお、図１６に示した加熱部６５６は、例えば電気抵抗体から構成することができる。この加熱部６５６や、図１０に示した加温体５１４を所定温度に維持する制御は、先に第１の実施形態で説明した制御回路等を用いて同様に行うことができる。また、図１６に示した加熱部６５６に代えて、図１７に示すコイル６５７を設け、このコイル６５７により電磁誘導加熱で内容物２５を加熱したり、表面６１２ｂを加温することも可能である。
【００７５】
図１５に示した構成では、中栓部６５０を塗布ヘッド６１２に対して嵌合により一体化する構造を採用している。そこで、内容物２５を送り出すために回転操作部６２３を操作する際に、中栓部６５０あるいは塗布ヘッド６１２が回転操作部６２３と共回りすることを防止する機構を設けておくことが望ましい。また、中栓部６５０の位置が、筐体６１０の本体６１０ａに対して後方（図１５中の右方）にずれることを防止する機構を設けておくことが望ましい。
【００７６】
次に、塗布ヘッド６１２のその他の例について、図２０〜図２２を参照して説明する。図１８および図１９に示した塗布ヘッド６１２は、全体的に金属からなるものである。それに対して、図２０に示す塗布ヘッド６１２は、中栓部６５０の金属からなる先端部分６５１が排出口６１２ａの内部に入り込んだ構成とされている。そして、排出口６１２ａの周りの塗布面である表面６１２ｂは、金属以外の例えば合成樹脂から形成されている。
【００７７】
次に図２１に示す塗布ヘッド６１２は、下側部分６１２Ｅと上側部分６１２Ｆとから構成されたものである。上側部分６１２Ｆは、下側部分６１２Ｅの上部に形成された凹部６１２ｇ内に嵌め込まれるようになっている。下側部分６１２Ｅには、排出口６１２ａを含む凸部６１２ｍが設けられ、少なくとも排出口６１２ａの部分は合成樹脂から形成されている。上側部分６１２Ｆは全体的に金属から形成され、上記凸部６１２ｍと嵌合する凹部６１２ｎを有している。このような構成の塗布ヘッド６１２は、排出口６１２ａの部分が合成樹脂から形成される一方、その周囲の表面６１２ｂが金属から形成されたものとなる。
【００７８】
次に図２２に示す塗布ヘッド６１２は、上記と同様に、下側部分６１２Ｅと上側部分６１２Ｆとから構成されたものである。上側部分６１２Ｆは全体的に金属から形成されたもので、下側部分６１２Ｅの上部に形成された凹部６１２ｇ内に嵌め込まれるようになっている。上側部分６１２Ｆにおいて排出口６１２ａは、傾斜した表面６１２ｂの中心から外れた位置（傾斜の下方側の位置）に設けられている。このような構成においては、排出口６１２ａから外れた表面６１２ｂの部分を広く塗布面として使用可能となる。こうして排出口６１２ａから外れた表面６１２ｂの部分は、内容物による汚染を防ぐ上で効果的であり、また特殊な外観を提供して、美容健康器具の商品価値を高め得るものとなる。なお、上述のように表面６１２ｂが傾斜するとは、内容物の流出方向（図２２中の下から上方に向かう方向）に対して傾斜していることを意味する。このように傾斜した表面６１２ｂに排出口６１２ａが形成されている場合、排出口６１２ａから流出した内容物は、自然に傾斜の上側に向かうように曲がって伸びるようになる。したがって、傾斜した表面６１２ｂの中心から外れた位置に排出口６１２ａを設ける場合は、本例のように傾斜の下方側の位置に排出口６１２ａを設けて、傾斜の上側の広い表面６１２ｂに内容物が向かうようにするのが望ましい。
【００７９】
以上説明した図１８〜図２２の塗布ヘッド６１２における排出口６１２ａおよび表面６１２ｂ周りの構造は、特に第６の実施形態に限らず、その他の実施形態においても適宜採用可能である。
【００８０】
次に、本発明の第７の実施形態について説明する。図２３は、本発明の第７の実施形態による美容健康器具７を示す側断面図である。本実施形態の美容健康器具７は、カートリッジ収容部７１０ａおよび電池収容部７１０ｂから構成される筐体７１０と、この筐体７１０に取り付け可能なネジ式キャップ７１０ｃと、カートリッジ収容部７１０ａに取外し可能に収容されるカートリッジ７２０とを有している。上記カートリッジ収容部７１０ａと電池収容部７１０ｂとは、それぞれの長手方向が並列に並ぶ状態に配設されている。
【００８１】
上記カートリッジ７２０は、内容物２５を貯える概略円筒状の貯蔵室７２１と、回転操作部７２３と、貯蔵室７２１に接続された中栓部７５０とを有している。本実施形態において内容物２５としては、流動性を有するものが適用される。上記回転操作部７２３には、内容物２５を貯蔵室７２１から送り出すための機構、すなわち図１に示したピストン２７やネジ棒２８等からなる機構が連結されているが、それらは図２３において省略してある。中栓部７５０は、細い円筒状の部分を持つ先端部分７５１を有している。また中栓部７５０の内部には、貯蔵室７２１に連通して先端部分７５１の内部まで延びる流路７５２が形成されている。
【００８２】
なお、本実施形態におけるカートリッジ７２０に対しても、図１５に示したカートリッジキャップ６７０と同様のカートリッジキャップを取り付けるようにして、カートリッジ使用までは中栓部７５０の内部と外部とを気密に保つのが望ましい。
【００８３】
筐体７１０のカートリッジ収容部７１０ａには、概略斜めに切られた円筒状の先端部７１０ｄが形成されている。この先端部７１０ｄの内部には、塗布部としての塗布ヘッド７１２が取り付けられている。塗布ヘッド７１２は、第６の実施形態における排出口６１２ａおよび表面６１２ｂとそれぞれ同様の、排出口７１２ａおよび表面７１２ｂを有している。すなわち、表面７１２ｂは平坦に形成されて、内容物２５を人体の体表部に塗布するための塗布面とされている。そしてこの表面７１２ｂに、内容物２５が流出する上記の排出口７１２ａが形成されている。塗布ヘッド７１２の、少なくとも図２３中で黒色に塗りつぶしてある部分７１２ｃは、良好な熱伝導性を有する金属、例えばアルミニウム、アルミニウム合金、ステンレス鋼等から形成されている。塗布ヘッド７１２の表面７１２ｂは、この金属からなる部分７１２ｃの表面を含んでいる。そして、表面７１２ｂの裏面において、金属からなる部分７１２ｃに密着させて、図１や図１５に示した加温体１４と同様の加温体（図示せず）が密着固定される。
【００８４】
カートリッジ７２０は、前述したカートリッジキャップが取り付けられている場合は、そのカートリッジキャップが取り外されてから使用に供される。カートリッジ７２０は、中栓部７５０が塗布ヘッド７１２の内部空間に入り込む状態にして、カートリッジ収容部７１０ａに収容される。この状態下では、塗布ヘッド７１２の金属からなる部分７１２ｃに形成された円筒状部分内に、中栓部７５０の先端部分７５１が緩く嵌合する。このとき、塗布ヘッド７１２に対するカートリッジ７２０の長手方向位置（図２３中の左右方向位置）は、例えばカートリッジ収容部７１０ａに設けた図示外のリブにカートリッジ７２０の一部を当接させることにより規定される。この状態でカートリッジ７２０がカートリッジ収容部７１０ａに収容されたとき、中栓部７５０の流路７５２は、塗布ヘッド７１２の排出口７１２ａと連通する。なお、先端部分７５１の内部の流路７５２が、塗布ヘッド７１２の排出口７１２ａ以外の空間と連通してしまうことを防止するために、先端部分７５１と塗布ヘッド７１２の上記円筒状部分との間には、コンタクトリングやＯ−リング等からなるシール材を配置しておくのが望ましい。
【００８５】
カートリッジ７２０が筐体７１０のカートリッジ収容部７１０ａに収容された後、美容健康器具７を使用しないときには、筐体７１０にネジ式キャップ７１０ｃが取り付けられる。ネジ式キャップ７１０ｃは、概略一端が閉じた円筒状に形成されている。ネジ式キャップ７１０ｃは、その開放側の端部７１０ｅに形成された雌ネジを、前記先端部７１０ｄに形成された雄ネジと螺合させることにより、筐体７１０に取り付けられる。またネジ式キャップ７１０ｃの閉鎖側の端部内面には、円柱状の凸部７１０ｆが設けられている。ネジ式キャップ７１０ｃが筐体７１０に取り付けられた状態では、上記凸部７１０ｆが、中栓部７５０の先端部分７５１の流路７５２内に入り込む。それにより流路７５２は、カートリッジ７２０の外部と気密状態に保たれる。
【００８６】
本実施形態の美容健康器具７を使用する際、ネジ式キャップ７１０ｃは筐体７１０から取り外される。それにより、中栓部７５０の流路７５２から凸部７１０ｆが退出し、流路７５２が開放される。貯蔵室７２１に貯えられた流動性の内容物２５は、回転操作部７２３を操作することにより、中栓部７５０の流路７５２を経て、塗布ヘッド７１２の排出口７１２ａから流出する。
【００８７】
そこで、塗布ヘッド７１２の表面７１２ｂを人体の体表部に接触させながら、流出した内容物２５を体表部に塗布することができる。また、表面７１２ｂの裏面側に設けられた前述の加温体が、第１の実施形態におけるのと同様に給電されて発熱する。それにより、塗布ヘッド７１２の塗布面である表面７１２ｂが所定の温度に加温されるので、この場合も、上述のように内容物２５を体表部に塗布する際に、使用者に心地良い塗布感を与えることできる。さらに、内容物２５の吐出と塗布を同時に簡便に行うことが可能となり、またカートリッジ７２０を付け代えることにより、種類の異なる化粧料等を使用部位や消費者の好みに合わせて選択して、簡便に切替使用可能となる。
【００８８】
図２３に示した構成では、カートリッジ７２０を塗布ヘッド７１２に対して、嵌合により一体化する構造を採用している。そこで、内容物２５を送り出すために回転操作部７２３を操作する際に、中栓部７５０あるいは塗布ヘッド７１２が回転操作部７２３と共回りすることを防止する機構を設けておくことが望ましい。また、中栓部７５０の位置が、筐体７１０のカートリッジ収容部７１０ａに対して後方（図２３中の右方）にずれることを防止する機構を設けておくことが望ましい。
【００８９】
以上説明した各実施形態の美容健康器具は、唇用化粧料の一つであるリッププランパーを内容物として貯蔵したカートリッジを用いるものであるが、内容物はそれに限定されるものではない。すなわち、本発明の美容健康器具においては、人体の体表部に塗布されて美容効果および保健効果の少なくとも一方を与える内容物であれば、あらゆるものが適用可能である。例えば、人体の体表部に塗布されて美容効果を与える内容物としては、上記唇用化粧料の他に、目元化粧料、リップグロス、リップクリーム、フェイスクリーム、アイクリーム、ヘアカラー、ヘアトリートメント、除毛クリーム等が挙げられる。なお、体表部に生えている毛髪類も、本発明でいうところの「体表部」に含むものとする。
【００９０】
他方、人体の体表部に塗布されて保健効果を与える内容物としては、例えば、皮膚疾患治療剤、鎮痛消炎剤、消毒薬、虫刺され防止薬、かゆみ止め等が挙げられる。
【００９１】
また、流動性の内容物としては、ある程度高い粘性を有するクリーム状のものが好適に用いられるが、液状のものも適用可能である。液状の内容物を適用する場合は、カートリッジに設ける出口を十分に小さいものとしておくことにより、送出し部が操作されないのに内容物が出口から流出してしまうことを防止できる。
【００９２】
また、以上説明した実施形態においては、内容物をカートリッジ外に流出させる送出し部が回転操作部を有するものとされているが、回転操作以外の操作によって内容物をカートリッジ外に流出させる送出し部も適用可能である。具体的には、外部からのノック力を受けて進退動作するノック操作部と、このノック操作部の動作によりカートリッジの内部を内容物流出用出口に近づく方向に移動する移動体とを備えてなる、いわゆるノック式の送出し部を適用することもできる。なお特開平１１−２２５８２６号公報には、その種のノック式送出し機構の一例が示されている。
【００９３】
さらには、少なくともカートリッジの外殻の一部を構成し、外部からの絞り力を受けて変形することにより、貯蔵されている内容物に圧力を加える可撓性部材からなる、いわゆるスクイズ式の送出し部を適用することもできる。
【００９４】
また本発明の美容健康器具においては、内容物を貯蔵する外殻の一部に、弾性部材からなるチューブ（管）の一端を連通させてなるカートリッジを適用することも可能である。上記チューブは、上記一端と反対側の他端が、内容物が流出する出口とされ、また全体が送出し部を構成する。そのような外殻およびチューブからなるカートリッジが適用される場合は、美容健康器具本体に、チューブポンプ、ローラポンプ、しごきポンプ、あるいは蠕動ポンプ等と称されるポンプを搭載しておき、そのポンプによってチューブの部分をしごくことにより、外殻に貯蔵されている内容物をチューブの上記他端（出口）から外部に流出させることができる。なお上述のようなポンプについては、例えば特開２０１３−２４５６６５号公報に好適な例が示されている。
【００９５】
上記のチューブポンプを適用する場合は、流動性の内容物がかなり粘度の高いものであっても、その内容物をカートリッジから流出させることが可能になる。
【００９６】
さらに、以上説明した各実施形態は、塗布部に組み込まれた温度作用部が加温体から構成されているが、温度作用部は人体の体表部を冷却する冷却体から構成されてもよい。そのような冷却体は、例えばペルチェ素子を用いて構成することができる。体表部を冷却体によって冷却しながら化粧料等を塗布することも、特に気温が高い環境においては、使用者に快適な塗布感を提供できるものとなる。
【００９７】
さらに、電源部としては、上に述べた電池（乾電池）４０に限らず、充電池や、パーソナルコンピューター等に用いられるＵＳＢコネクタから電力を供給される電源部を採用することも可能である。
【符号の説明】
【００９８】
１、２、３、４、５、６、７    美容健康器具
１０、２１０、３１０、４１０、５１０、６１０、７１０    筐体
１０ａ、５１０ａ、６１０ａ  筐体の本体
１０ｂ、５１０ｂ、６１０ｂ  筐体の蓋
１１    筐体の凹部
１２、２１２、３１２、４１２    塗布部
１２ａ、５１２ａ、６１２ａ、７１２ａ  塗布部の排出口
１２ｂ、５１２ｂ、６１２ｂ、７１２ｂ  塗布部の表面（塗布面）
１３    スイッチ
１４、５１４    加温体
１５    温度センサ
２０、２２０、３２０、４２０、５２０、６２０、７２０    カートリッジ
２１、５２１、６２１、７２１    貯蔵室
２２    シリンダ室
２３、２２３、３２３、４２３、５２３、６２３、７２３    回転操作部
２５    内容物
２６、３２６、４２６    出口
２７    ピストン
２８    ネジ棒
２９    固定保持部
３０    回転保持部
３１    カバー
５１２、６１２、７１２  塗布ヘッド（塗布部）
６５６  加熱部
６５７  コイル
７１０ａ  筐体のカートリッジ収容部
７１０ｂ  筐体の電池収容部
【図１】
2017077709.tif 000003
【図２】
2017077709.tif 000004
【図３】
2017077709.tif 000005
【図４】
2017077709.tif 000006
【図５】
2017077709.tif 000007
【図６】
2017077709.tif 000008
【図７】
2017077709.tif 000009
【図８】
2017077709.tif 000010
【図９】
2017077709.tif 000011
【図１０】
2017077709.tif 000012
【図１１】
2017077709.tif 000013
【図１２】
2017077709.tif 000014
【図１３】
2017077709.tif 000015
【図１４】
2017077709.tif 000016
【図１５】
2017077709.tif 000017
【図１６】
2017077709.tif 000018
【図１７】
2017077709.tif 000019
【図１８】
2017077709.tif 000020
【図１９】
2017077709.tif 000021
【図２０】
2017077709.tif 000022
【図２１】
2017077709.tif 000023
【図２２】
2017077709.tif 000024
【図２３】
2017077709.tif 000025
【手続補正書】
【提出日】平成30年5月15日(2018.5.15)
【手続補正１】
【補正対象書類名】明細書
【補正対象項目名】００１８
【補正方法】変更
【補正の内容】
【００１８】
他方、本発明による第１のカートリッジは、
美容健康器具を構成する筐体に取外し可能に収容されるカートリッジであって、
人体の体表部に塗布されて美容効果および保健効果の少なくとも一方を与える流動性の内容物を貯蔵する貯蔵部と、該内容物が流出する出口と、外部から受けた力により内容物を上記出口から流出させる送出し部とを備えたことを特徴とするものである。
【手続補正２】
【補正対象書類名】明細書
【補正対象項目名】００７０
【補正方法】変更
【補正の内容】
【００７０】
筐体６１０の本体６１０ａには、ネジ式キャップ６１０ｃが取り付け可能とされている。このネジ式キャップ６１０ｃは、概略一端が閉じた円筒状に形成されている。ネジ式キャップ６１０ｃは、その開放側の端部６１０ｅに形成された雌ネジを、本体６１０ａの先端部６１０ｄに形成された雄ネジと螺合させることにより、筐体６１０に取り付けられる。またネジ式キャップ６１０ｃの閉鎖側の端部内面には、円柱状の凸部６１０ｆが設けられている。ネジ式キャップ６１０ｃが筐体６１０に取り付けられた状態では、上記凸部６１０ｆが、中栓部６５０の先端部分６５１の流路６５２内に入り込む。それにより流路６５２は、カートリッジ６２０の外部と気密状態に保たれる。
【国際調査報告】
2017077709.tif 000026
2017077709.tif 000027
2017077709.tif 000028
2017077709.tif 000029
2017077709.tif 000030